(57)【要約】【課題】電波源が建物の密集した地域にあったりしても、電波源の位置を正確に特定することが可能な電波監視装置を提供する。【解決手段】ＣＰＵ処理系５０は、ＤＳＰ処理系４０に対してはじめは電波ホログラフィ法によるデータ処理を行わせて、この処理結果に基づいて電波を可視化してモニタ６０に表示し、その後、オペレータが指定する領域についてＭＵＳＩＣ法による電波源の推定処理を実施するようにＤＳＰ処理系４０に対して指示を与えて、これによって得られる電波源の推定表示を電波ホログラフィ法による電波の可視化表示に重ねて表示するようにしたものである。【選択図】      図１
2005207847.tif 000002
【特許請求の範囲】
【請求項１】
視覚的に情報を表示する表示手段と、
到来電波の受信信号を用いて電波ホログラフィ法による電波測定を行う第１の演算手段と、
この第１の演算手段が得た測定結果に基づいて、前記表示手段に受信電波を可視化して表示する第１の表示制御手段と、
到来電波の受信信号を用いてＭＵＳＩＣ法による電波源の位置を推定する第２の演算手段と、
この第２の演算手段が推定した位置を、前記第１の表示制御手段による表示に重ねて前記表示手段に表示する第２の表示制御手段とを具備することを特徴とする電波監視装置。
【請求項２】
視覚的に情報を表示する表示手段と、
到来電波の受信信号を用いて電波ホログラフィ法による電波測定を行う第１の演算手段と、
この第１の演算手段が得た測定結果に基づいて、前記表示手段に受信電波を可視化して表示する第１の表示制御手段と、
オペレータから要求を受け付ける入力手段と、
この入力手段を通じてオペレータから指示された領域について、到来電波の受信信号を用いてＭＵＳＩＣ法による電波源の位置を推定する第２の演算手段と、
この第２の演算手段が推定した位置を前記表示手段に表示する第２の表示制御手段とを具備することを特徴とする電波監視装置。
【請求項３】
前記第２の表示制御手段は、前記第２の演算手段が推定した位置を、前記第１の表示制御手段による表示に重ねて前記表示手段に表示することを特徴とする請求項２に記載の電波監視装置。
【請求項４】
到来電波の受信信号を用いて電波ホログラフィ法による電波測定を行う第１の演算手段と、
この第１の演算手段が得た測定結果に基づいて、電波源が位置する可能性の高い領域を求める領域推定手段と、
この領域推定手段が求めた領域について、到来電波の受信信号を用いてＭＵＳＩＣ法による電波源の位置を推定する第２の演算手段とを具備することを特徴とする電波監視装置。
【請求項５】
さらに、視覚的に情報を表示する表示手段と、
前記第１の演算手段が得た測定結果に基づいて、前記表示手段に受信電波を可視化して表示する第１の表示制御手段と、
前記第２の演算手段が推定した位置を前記表示手段に表示する第２の表示制御手段とを具備することを特徴とする請求項４に記載の電波監視装置。
【請求項６】
前記第２の表示制御手段は、前記第２の演算手段が推定した位置を、前記第１の表示制御手段による表示に重ねて前記表示手段に表示することを特徴とする請求項５に記載の電波監視装置。
【発明の詳細な説明】
【技術分野】
【０００１】
この発明は、例えば違法電波など放射する電波源の特定に用いられる電波監視装置に関する。
【背景技術】
【０００２】
周知のように、従来の電波監視装置は、ＭＵＳＩＣ法を用いて電波源の推定を行っていた（例えば、特許文献１参照）。しかしながら、ＭＵＳＩＣ法を用いた電波監視装置は、マルチパスによる影響を受けやすい。
【０００３】
このため、例えば電波源のおおよその位置を推定した後、電波源の近くから再度電波源を推定しようとした場合、建物が密集していたりすると、マルチパスによって電波源を推定できない。  
これに対して従来は、電波監視装置によりおおまかに電波源の位置を推定し、最終的には、作業員が電波源のアンテナを目視で探すなどして電波源を特定しており、作業員の熟練によるところが大きかった。
【特許文献１】特開２００１−２４２２３２公報
【発明の開示】
【発明が解決しようとする課題】
【０００４】
従来の電波監視装置では、電波源が建物の密集した地域にあったりすると、マルチパスの影響によって正確な位置の推定が困難であるという問題があった。  
この発明は上記の問題を解決すべくなされたもので、電波源が建物の密集した地域にあったりしても、電波源の位置を正確に推定することが可能な電波監視装置を提供することを目的とする。
【課題を解決するための手段】
【０００５】
上記の目的を達成するために、この発明は、視覚的に情報を表示する表示手段と、到来電波の受信信号を用いて電波ホログラフィ法による電波測定を行う第１の演算手段と、この第１の演算手段が得た測定結果に基づいて、表示手段に受信電波を可視化して表示する第１の表示制御手段と、到来電波の受信信号を用いてＭＵＳＩＣ法による電波源の位置を推定する第２の演算手段と、この第２の演算手段が推定した位置を、第１の表示制御手段による表示に重ねて表示手段に表示する第２の表示制御手段とを具備して構成するようにした。
【発明の効果】
【０００６】
以上述べたように、この発明では、電波ホログラフィ法によって電波を可視化した映像を表示するとともに、ＭＵＳＩＣ法による電波源の推定処理を実施して電波源の位置を推定した表示を行うようにしている。
【０００７】
したがって、この発明によれば、電波ホログラフィ法によって電波を可視化した映像と、ＭＵＳＩＣ法によって推定した電波源の位置を表示できるので、２つの表示に基づいて電波源を特定することができ、例えば電波源が建物の密集した地域にあったりしても、電波源の位置を正確に特定することが可能な電波監視装置を提供できる。
【発明を実施するための最良の形態】
【０００８】
以下、図面を参照して、この発明の一実施形態について説明する。  
図１は、この発明の一実施形態に係わる電波監視装置の構成を示すものである。  
電波監視装置は、アレーアンテナ１１〜１ｎ、高周波処理系２０、Ａ／Ｄ処理系３０、ＤＳＰ処理系４０、ＣＰＵ処理系５０、モニタ６０、入力装置７０、および記憶装置８０を備えている。
【０００９】
高周波処理系２０は、アレーアンテナ１１〜１ｎにてそれぞれ受信された信号をベースバンド信号にダウンコンバートした後、それぞれＡ／Ｄ処理系３０に出力する。  
Ａ／Ｄ処理系３０は、高周波処理系２０を通じて入力されるアレーアンテナ１１〜１ｎの受信信号を、それぞれアナログ信号からディジタル信号に変換し、この変換結果を受信データとしてＤＳＰ処理系４０に出力する。
【００１０】
ＤＳＰ処理系４０は、Ａ／Ｄ処理系３０から与えられる受信データに対して、後述するＣＰＵ処理系からの指示に応じて、電波ホログラフィ法とＭＵＳＩＣ法のＤＳＰ処理を選択的に実施するものである。この処理によって得られたデータは、ＣＰＵ処理系５０に出力される。
【００１１】
ＣＰＵ処理系５０は、当該電波監視装置の各部を統括して制御するものであって、キーボードなどの入力装置７０を通じたオペレータからの指示に従って、ＤＳＰ処理系４０によって得られたデータに基づき、電波源を特定するための映像をモニタ６０に表示する。またＣＰＵ処理系５０は、ＤＳＰ処理系４０から与えられるデータを記憶するメモリ５１とハードディスク（ＨＤＤ）５２を備える。
【００１２】
次に、上記構成の電波監視装置の動作について説明する。図２は、ＣＰＵ処理系５０の制御動作を説明するフローチャートであって、以下このフローチャートにしたがって説明する。
【００１３】
まず、ステップ２ａにおいてＣＰＵ処理系５０は、ＤＳＰ処理系４０に対して電波ホログラフィ法によるＤＳＰ処理を実行するように指示を与え、ステップ２ｂに移行する。これによりＤＳＰ処理系４０は、Ａ／Ｄ処理系３０から与えられる受信データに対して、電波ホログラフィ法のＤＳＰ処理を実施する。この処理によって得られたデータは、ＣＰＵ処理系５０に出力される。
【００１４】
ステップ２ｂにおいてＣＰＵ処理系５０は、ＤＳＰ処理系４０から与えられるデータに基づいて、ホログラフィ法により、空間的な位置に対応づけて電波を可視化した映像をモニタ６０に表示し、ステップ２ｃに移行する。
【００１５】
ステップ２ｃにおいてＣＰＵ処理系５０は、入力装置７０を通じてオペレータから電波源の領域の指定を受け付け、ステップ２ｄに移行する。この際、オペレータは、ステップ２ｂでモニタ６０に可視化表示した映像に基づいて、領域指定を行う。
【００１６】
ステップ２ｄにおいてＣＰＵ処理系５０は、ＤＳＰ処理系４０に対して、ステップ２ｃで指定された領域に対し、ＭＵＳＩＣ法によるＤＳＰ処理を実行するように指示を与え、ステップ２ｅに移行する。これによりＤＳＰ処理系４０は、Ａ／Ｄ処理系３０から与えられる受信データのうち、ステップ２ｃで指定された領域に応じた受信データを用いることで、ビームスペース型のＭＵＳＩＣ法によるＤＳＰ処理を実施する。この処理によって得られたデータは、ＣＰＵ処理系５０に出力される。
【００１７】
ステップ２ｅにおいてＣＰＵ処理系５０は、ＤＳＰ処理系４０から与えられるデータに基づいて、モニタ６０上に、ホログラフィ法によりすでに表示している映像に、位置関係を一致させて重ね合わせて、電波源を示す表示を行い、当該処理を終了する。
【００１８】
以上のように、上記構成の電波監視装置では、電波ホログラフィ法によって電波を可視化した映像を表示するとともに、ＭＵＳＩＣ法による電波源の推定処理を実施して電波源の位置を推定した表示を行うようにしている。
【００１９】
したがって、上記構成の電波監視装置によれば、電波ホログラフィ法によって電波を可視化した映像と、ＭＵＳＩＣ法によって推定した電波源の位置を表示できるので、２つの表示に基づいて電波源を特定することができる。
【００２０】
また、上記構成の電波監視装置では、はじめに電波ホログラフィ法によって電波を可視化した映像を表示し、そしてオペレータが指定する領域についてＭＵＳＩＣ法による電波源の推定処理を実施して、これによって得た情報から電波源の位置を示す表示を行うようにしている。
【００２１】
したがって、上記構成の電波監視装置によれば、電波ホログラフィ法によって電波源およびマルチパス発射源をおおまかに求め、このうちオペレータが指定する領域についてＭＵＳＩＣ法により高精度に電波源を推定することができる。
【００２２】
さらに上記構成の電波監視装置では、電波ホログラフィ法による電波の可視化表示と、ＭＵＳＩＣ法による電波源の表示を重ねて表示するようにしているので、オペレータはさほどの熟練が無くても、モニタ６０上の表示から電波源の可能性の高い位置を容易に特定することができる。
【００２３】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２４】
その一例として例えば、上記実施の形態では、はじめに電波ホログラフィ法によって電波を可視化して表示し、そしてオペレータが領域を指定するようにしたが、これに代わって例えば、ＣＰＵ処理系５０が、電波ホログラフィ法によって電波を可視化した情報から電波源が位置する可能性の高い領域を求め、この領域に対してＭＵＳＩＣ法による電波源の位置推定を行うようにしてもよい。
【００２５】
また、上記実施の形態では、Ａ／Ｄ処理系３０は、高周波処理系２０を通じて入力されるアレーアンテナ１１〜１ｎの受信信号を、それぞれアナログ信号からディジタル信号に変換するものとしたが、これに代わって例えば、アレーアンテナ１１〜１ｎの受信信号のうち、２つ以上を選択的にアナログ信号からディジタル信号に変換するようにしてもよい。  
その他、この発明の要旨を逸脱しない範囲で種々の変形を施しても同様に実施可能であることはいうまでもない。
【図面の簡単な説明】
【００２６】
【図１】この発明に係わる電波監視装置の一実施形態の構成を示す回路ブロック図。
【図２】図１に示した電波監視装置のＣＰＵ処理系の制御動作を説明するためのフローチャート。
【符号の説明】
【００２７】
１１〜１ｎ…アレーアンテナ、２０…高周波処理系、３０…Ａ／Ｄ処理系、４０…ＤＳＰ処理系、５０…ＣＰＵ処理系、５１…メモリ、５２…ハードディスク（ＨＤＤ）、６０…モニタ、７０…入力装置、８０…記憶装置。
【図１】
2005207847.tif 000003
【図２】
2005207847.tif 000004